(57)【要約】複数の品物を包装するカートン。前記カートンは、カートン内部の少なくとも一部に広がるパネルを有する。前記パネルは、トップパネル、ボトムパネル、第一のサイドパネルおよび第二のサイドパネルから構成される。少なくとも２つの終端フラップは複数あるパネルのうち対応したパネルに折畳式にそれぞれ取り付けられており、ここで前記終端フラップは互いに重なり合って少なくとも部分的に前記カートンの閉口端を形成する。前記カートンは、カートンを掴み運ぶために、カートンの閉口端にハンドルを含む。前記少なくとも２つの終端フラップのうち少なくとも１つの終端フラップは、前記カートンの閉口部を閉じる主パネルおよび前記主パネルに折畳式に取り付けられる延長パネルを構成する。前記延長パネルは、前記カートンを強化するためハンドル上部に配置されている。
2009508780.tif 000002
【特許請求の範囲】
【請求項１】
複数の品物を包装するカートンであって、
前記カートン内部の少なくとも一部に広がる複数のパネルであって、トップパネル、ボトムパネル、第一のサイドパネルおよび第二のサイドパネルから構成される複数のパネルと、
複数のパネルのうち対応したパネルに折畳式にそれぞれ取り付けられ、互いに重なり合うことで少なくとも部分的に前記カートンの閉口端を形成する、少なくとも２つの終端フラップと、
前記カートンを掴み運ぶために、前記カートンの閉口端に取り付けられるハンドルと、を備え、
前記少なくとも２つの終端フラップのうち少なくとも１つの終端フラップは、前記カートンの閉口端を閉じる主パネルおよび前記主パネルに折畳式に取り付けられる延長パネルから構成され、前記カートンを強化するため延長パネルがハンドルの上部に配置される、カートン。
【請求項２】
前記延長パネルが、前記主パネル、および前記主パネルに重なり合う終端パネルの間に配置される、請求項１に記載のカートン。
【請求項３】
前記少なくとも１つの終端フラップが、２つの終端フラップから構成される、請求項１に記載のカートン。
【請求項４】
上記２つのエンドフラップが、前記第一のサイドパネルに折畳式に取り付けられる第一のサイド終端フラップおよび前記第二のサイドパネルに折畳式に取り付けられる第二のサイド終端フラップを含む、請求項３に記載のカートン。
【請求項５】
前記ハンドルが、前記第一のサイド終端フラップおよび第二のサイド終端フラップにそれぞれハンドル切込み部を含む、請求項４に記載のカートン。
【請求項６】
前記少なくとも２つの終端フラップがさらに、前記トップパネルに折畳式に取り付けられるトップ終端フラップを含む、請求項５に記載のカートン。
【請求項７】
前記ハンドルが、前記ハンドル切込み部の位置に合わせてハンドル開口部を形成するため、前記トップ終端フラップに折畳式に取り付けられるハンドルフラップを含む、請求項６に記載のカートン。
【請求項８】
前記トップ終端フラップが閉じられると、前記延長パネルは後方へ折り畳まれる、請求項６に記載のカートン。
【請求項９】
前記延長パネルは前記主パネルに固定される、請求項８に記載のカートン。
【請求項１０】
前記カートン内の品物にアクセスできるディスペンサーを含む、請求項１に記載のカートン。
【請求項１１】
前記ディスペンサーが、前記カートンの切り取り線によって少なくとも部分的に画定され、ディスペンサー開口部をさらに広げるために少なくとも部分的に取り除かれるディスペンサーパネルを含む、請求項１０に記載のカートン。
【請求項１２】
前記終端は第一の終端であって、
前記終端フラップは、互いに重なり合って前記第一の閉口端を形成する第一の終端フラップであって、
前記カートンはさらに、複数のパネルのうち対応したパネルに折畳式にそれぞれ取り付けられ、互いに重なり合って前記カートンの第二の閉口端を形成する、少なくとも２つの第二の終端フラップを備える、請求項１に記載のカートン。
【請求項１３】
前記カートン内で垂直に置かれたボトルからなる複数の品物と組み合わせた、請求項１に記載のカートン。
【請求項１４】
カートンを形成するためのブランクであって、
トップパネル、ボトムパネル、第一のサイドパネルおよび第二のサイドパネルから構成される複数のパネルと、
複数のパネルのうち対応したパネルに折畳式にそれぞれ取り付けられる少なくとも２つの第二の終端フラップと、
前記ブランクから組み立てられるカートンのハンドルを少なくとも部分的に画定するために協働する、前記少なくとも２つの終端フラップに取り付けられている機能部とを含み、
少なくとも２つの終端フラップのうち少なくとも１つの終端フラップは、前記ブランクから組み立てられる前記カートンの終端を閉口する主パネル、および前記主パネルに折畳式に取り付けられ、前記ブランクが前記カートンに組み立てられる際、前記ハンドル上部に配置される延長パネルを含む、前記ブランク。
【請求項１５】
前記延長パネルが、少なくとも部分的に前記ハンドルを画定するための前記メインパネルの機能部から離れている、請求項１４に記載のブランク。
【請求項１６】
前記１つの終端フラップが２つの終端フラップを含む、請求項１４に記載のブランク。
【請求項１７】
２つの終端フラップが、前記第一のサイドパネルに折畳式に取り付けられる第一の終端エンドフラップおよび前記第二のサイドパネルに折畳式に取り付けられる第二のサイド終端フラップを含む、請求項１６に記載のブランク。
【請求項１８】
前記ハンドルが、前記第一のサイド終端フラップおよび第二のサイド終端フラップにそれぞれハンドル切込み部を含む、請求項１７に記載のブランク。
【請求項１９】
前記少なくとも２つの終端フラップがさらに、前記トップパネルに折畳式に取り付けられるトップ終端フラップを含む、請求項１８に記載のブランク。
【請求項２０】
前記ハンドルが、前記ハンドル切込み部の位置に合わせてハンドル開口部を形成するため、前記トップ終端フラップに折畳式に取り付けられているハンドルフラップを含む、請求項１９に記載のブランク。
【請求項２１】
前記ブランクから組み立てられるカートンが閉じられると、該延長パネルは前記トップ終端フラップに係合して後方へ折り畳まれる、請求項１９に記載のブランク。
【請求項２２】
前記延長パネルは前記主パネルに固定される、請求項２１に記載のブランク。
【請求項２３】
前記ブランクの切り取り線によって少なくとも部分的に画定されるディスペンサーパネルを備え、前記ブランクから組み立てられた前記カートン内の品物にアクセスできるように取り付けられたディスペンサーをさらに備える、請求項１４に記載のブランク。
【請求項２４】
前記エンドフラップは、互いに重なり合って前記ブランクから組み立てられる前記カートンの第一の閉口端を形成する第一の終端フラップであって、さらに、
前記ブランクはさらに、複数のパネルのうち対応したパネルに折畳式にそれぞれ取り付けられる、互いに重なり合って前記ブランクから組み立てられる前記カートンの第二の閉口端を形成する、少なくとも２つの第二の終端フラップ、を備える請求項１４に記載のブランク。
【請求項２５】
カートンを組み立てる方法であって、
トップパネル、ボトムパネル、第一のサイドパネルおよび第二のサイドパネルから構成される複数のパネル、前記カートンの第一の終端で前記サイド終端パネルの少なくとも一方に折畳式に取り付けられる少なくとも１つのサイド終端フラップ、前記第一の終端で前記トップパネルに折畳式に取り付けられる少なくとも１つのトップ終端フラップ、トップ終端フラップおよび前記少なくとも１つのサイド終端フラップに少なくとも部分的に配置されるハンドルを含み、前記少なくとも１つのサイド終端フラップは、前記カートンの一部に閉口端を形成するために主パネル、および前記主パネルに折畳式に取り付けられ前記カートンのハンドル上部に位置する延長パネルを備える、カートンを提供するステップ；
前記カートンの前記第一の終端を少なくとも一部閉口するために、少なくとも１つのサイド終端フラップを折り畳むステップ；
前記第一の終端を少なくとも部分的に閉口する際に、前記延長パネルと係合させるために前記トップ終端フラップを後方へ折り畳むステップと、前記サイド終端フラップの前記メインパネルを重なり合わせるために前記延長パネルを後方へ折り畳むステップ；および
前記カートンの前記第一の閉口端を少なくとも一部形成するために、後方へ折り畳む位置に前記トップパネルを固定するステップ、を含む前記方法。
【請求項２６】
前記延長パネルを前記主パネルに固定するステップをさらに含む、請求項２５に記載の方法。
【請求項２７】
前記少なくとも１つのサイド終端フラップが２つのサイド終端フラップを構成する、請求項２５に記載の方法。
【請求項２８】
前記ハンドルが前記トップパネルに折畳式に取り付けられるハンドルフラップおよび前記少なくとも２つのサイド終端フラップに位置するハンドル切込み部を備え、前記カートンのハンドル開口部を形成するため少なくとも２つのサイド終端フラップの前記ハンドル切込み部に前記ハンドルフラップを折り畳む方法をさらに含む、請求項２７に記載の方法。
【請求項２９】
前記カートンはさらに、前記カートンの第二の終端に複数の終端フラップを備え、前記カートンの第二の終端を閉口するため第二の終端で複数の終端フラップを重なり合わせる方法を含む、請求項２５に記載の方法。
【請求項３０】
複数の品物を包装するカートンであって、
前記カートン内部の少なくとも一部に広がる複数のパネル；
複数あるパネルのうち対応したパネルに折畳式にそれぞれ取り付けられる少なくとも２つの第二の終端フラップを備え；
前記少なくとも２つの終端フラップのうち少なくとも１つの終端フラップは主パネル、および前記主パネルに折畳式に取り付けられる延長パネルを構成する、、前記カートン。
【請求項３１】
カートンを形成するためのブランクであって、
複数のパネル；
複数あるパネルのうちの対応したパネルに折畳式にそれぞれ取り付けられる少なくとも２つの第二の終端フラップを構成し；
前記少なくとも２つの終端フラップの少なくとも１つの終端フラップは主パネル、および前記メインパネルに折畳式に取り付けられる延長パネルを構成する、前記ブランク。
【請求項３２】
カートンを組み立てる方法であって、
トップパネル、ボトムパネル、第一のサイドパネルおよび第二のサイドパネルから構成される複数のパネル、前記カートンの第一の終端で前記サイド終端パネルの少なくとも一方に折畳式に取り付けられる少なくとも１つのサイド終端フラップ、前記第一の終端で前記トップパネルに折畳式に取り付けられる少なくとも１つのトップ終端フラップ、少なくとも部分的に前記カートンの閉口端を形成するために主パネルおよび前記主パネルに折畳式に取り付けられる延長パネルを構成する前記少なくとも１つのサイド終端フラップ、を備えるカートンを提供するステップ；
前記少なくとも１つのサイド終端フラップを折り畳むステップ；
前記延長パネルと係合させるために前記トップ終端フラップを後方へ折り畳むステップと、前記主パネルに重なり合わせるように前記延長パネルを後方へ折り畳むステップ；および
前記カートンを少なくとも一部閉口するために、前記トップパネルを固定するステップ、を含む前記方法。
【発明の詳細な説明】
【技術分野】
【０００１】
本発明は該して、飲料用容器またはその他品物の包装および販売を目的としたカートンに関する。より詳細には、本発明は強化ハンドルを有するカートンに関する。
［関連出願の記述］
本願は米２００５年９月２１日付申請の米国仮特許出願第６０／７１９，０４０号に対し優先権を主張し、その全ての内容はここに参照されることで援用される。
【背景技術】
【０００２】
品物の包装、運搬または販売する目的で使用される板紙カートン等のカートンは公知である。これらのカートンは通常は、望ましい機能や特性を得るために選択された部位が切り込まれ、穿孔され、折り目をつけられた板紙カートンブランクを折り畳むことで形成および組み立てられる。これらの機能部には、切り取り線、ハンドル、開口機能部、ディスペンサーおよびその他公知の機能部を含まれる。そのようなハンドル機能部は、例えばトップパネルまたはカートンの１つの終端および複数の終端に取り付け可能である。これらのハンドルは穴またはその他の開口部を形成し、ユーザがハンドルを掴めるような構成となっており、ハンドルの使用により装荷したカートンの持ち運びが容易になる。
【発明の開示】
【発明が解決しようとする課題】
【０００３】
板紙カートンブランクからキャリアやカートンを製造する際、ブランクの向かい合っている終端は一般的に接着剤や機械的な固定手段により互いに接着されることでキャリアのボトムパネルを形成する。いくつかの、または全てのパネルの端には終端フラップが取り付けられており、カートンの終端を閉口し中に包装されている飲料用容器などの品物を梱包するために内側に折り畳まれる。これらの終端フラップは、開口部または取り出し機能部を有し、さらにカートンを持ち運ぶハンドルを備えることができる。これらのハンドルは、例えばハンドル開口部がカートンを形成する板紙やその他の素材を傷めおよび／または引き裂いてしまう場合に、しばしば問題が生じる。
【課題を解決するための手段】
【０００４】
概して、本発明の一態様は、複数の品物を包装するカートンに関する。カートンは、前記カートン内部の少なくとも一部に広がる複数のパネルを含む。複数のパネルは、トップパネル、ボトムパネル、第一のサイドパネルおよび第二のサイドパネルを含む。少なくとも２つの終端フラップは複数あるパネルのうち、それに対応するパネルに折畳式にそれぞれ取り付けられており、互いに重なり合うことで少なくとも一部が前記カートンの閉口端を形成する。前記カートンは、カートンを掴み運ぶため、カートンの閉口端にハンドルを含む。少なくとも２つの終端フラップのうちの少なくとも１つの終端フラップは、前記カートンの閉口端を閉じる主パネルおよび前記主パネルに折畳式に取り付けられている延長パネルを含む。前記延長パネルは、前記カートンを強化するためハンドル上部に配置されている。
【０００５】
別の態様において、本発明は該して、トップパネル、ボトムパネル、第一のサイドパネルおよび第二のサイドパネルから成る複数のパネルを含むカートンを形成するブランクに関する。少なくとも２つの終端フラップは、複数のパネルのうち対応するパネルに折畳式にそれぞれ取り付けられる。少なくとも２つの終端フラップに取り付けられている機能部は、前記ブランクから組み立てられるカートンのハンドルを少なくとも部分的に画定するために協働する。少なくとも２つの終端フラップのうち少なくとも１つの終端フラップは、主パネルおよび前記主パネルに折畳式に取り付けられている延長パネルを含む。前記延長パネルは、前記ブランクが前記カートンに突出している場合、前記カートンを強化するためハンドル上部に配置されている。
【０００６】
さらに別の態様において、本発明は概して、カートンの組み立て方法に関する。方法は、トップパネル、ボトムパネル、第一のサイドパネルおよび第二のサイドパネルを含む複数のパネルを有するカートンを提供する方法を含む。前記カートンは、前記カートンの第一の終端で少なくとも１つのサイド終端パネルに折畳式に取り付けられる少なくとも１つのサイド終端フラップ、第一の終端でトップパネルに折畳式に取り付けられる少なくとも１つのトップ終端フラップおよびハンドルを含む。このハンドルは、少なくとも部分的にトップ終端フラップおよび少なくとも１つのサイド終端フラップに形成される。少なくとも１つのサイドエンドフラップは、前記カートンの閉口部を少なくとも部分的に閉じる主パネル、および前記主パネルに折畳式に取り付けられ、カートンのハンドル上部に位置する延長パネルを含む。前記カートンの前記第一の終端を少なくとも部分的に閉口するために、少なくとも１つのサイド終端フラップは折り畳まれる。前記第一の終端を少なくとも部分的に閉口する際に、前記延長パネルと接触させるために前記トップ終端フラップを後方へ折り畳み、前記サイド終端フラップの前記メインパネルに重なり合わせるために前記延長パネルを後方へ折り畳む。前記カートンの前記第一の閉口端を部分的に形成するために、後方へ折り畳む位置に前記トップパネルを固定する。
【０００７】
別の態様において、本発明は概して、複数の品物を包装するカートンに関する。カートンは、前記カートン内部の少なくとも一部に広がる複数のパネルを含む。少なくとも２つの第二の終端フラップは、複数のパネルのうち対応するパネルに折畳式にそれぞれ取り付けられている。少なくとも２つの終端フラップのうちの少なくとも１つの終端フラップは、主パネルおよび前記主パネルに折畳式に取り付けられている延長パネルを含む。
【０００８】
さらに別の態様において、本発明は概して、カートンを形成するブランクに関する。前記ブランクは、複数のパネルおよび複数のパネルのうち対応するパネルに折畳式にそれぞれ取り付けられる少なくとも２つの終端フラップを含む。少なくとも２つの終端フラップのうちの少なくとも１つの終端フラップは、ブランクから組み立てられるカートンの一つの終端を閉口するための主パネル、および前記主パネルに折畳式に取り付けられている延長パネルを含む。
【０００９】
さらに別の態様において、本発明は概して、複数のパネルを備えるカートンを提供する方法を含む、カートンの組み立て方法に関する。複数のパネルは、トップパネル、ボトムパネル、第一のサイドパネルおよび第二のサイドパネルを含む。前記カートンは、前記カートンの第一の終端で少なくとも１つのサイド終端パネルに折畳式に取り付けられる少なくとも１つのサイド終端フラップ、第一の終端でトップパネルに折畳式に取り付けられる少なくとも１つのトップ終端フラップを含む。少なくとも１つのサイド終端フラップは、前記カートンの閉口端を少なくとも部分的に閉じる主パネル、および前記主パネルに折畳式に取り付けられる延長パネルを含む。方法は、少なくとも１つのサイド終端フラップを折り畳むステップ、前記延長パネルと係合させるために前記トップ終端フラップを後方へ折り畳むステップおよび前記主パネルに重なり合わせるために前記延長パネルを後方へ折り畳むステップを含む。前記カートンを少なくとも部分的に閉口するために、前記トップパネルを固定する。
【発明を実施するための最良の形態】
【００１０】
当業者は、下記に列挙される図面を参照して以下の実施例の詳細な説明を読むことで、上述した利点、その他の利点とさらなる実施例の利点を理解する。
【００１１】
一般的な方法に従い、以下に説明される図面の様々な形態は正確な縮尺率でない場合もある。図面の様々な形態および要素の寸法は、本発明の実施例をより明確に例示するために拡大または縮小されている。
【００１２】
全ての図面において、対応する部品は対応する参照番号によって図示されている。
典型的な実施形態の詳細説明
【００１３】
本発明は該して、容器、ボトル、カン等の品物を包装するカートンに関する。これらの品物は、例えば食品や飲料を包装するために使用することができる。品物は特定の食品または飲料の包装に適する素材から製造されるが、その素材は、アルミニウムおよび／または他の金属、ガラス、ＰＥＴ、ＬＤＰＥ、ＬＬＤＰＥ、ＨＤＰＥ、ＰＰ、ＰＳ、ＰＶＣ、ＥＶＯＨおよびナイロンなどのプラスチックなど、またはこれらを組み合わせたもの、を含むがこれに限らない。
【００１４】
本発明に従うカートンは、いかなる形態の品物も包装可能である。例示を目的として提供されるものであって、発明の範囲を限定するものではないが、次の詳細な説明ではカートンの実施例の中にあるように、カートンに包装される飲料用容器（例、飲料用プラスチックボトル）を説明する。本明細書において、「下部」、「ボトム」、「上部」、「トップ」という用語は完全に組み立てられ、垂直状態にあるカートンに関連して決定される方向を示す。
【００１５】
図１は、本発明の典型的実施例に従い、カートン５（図２−６）を形成するために使用されるブランクの外面１の平面図であり、概して３と示されている。カートン５は、容器Ｃ（図２）などの品物を複数収納するために使用される。カートン５は、容器Ｃにアクセスできるようにカートンに提供される概して７（図３）と図示されるディスペンサーを備える。例示された実施例において、カートン５は３×５の単一層の配列で１５の容器Ｃを収納できるよう採寸されているが、カートン５は異なる数量または同数量の容器を単一層以上および／または異なる列／段（例、１×６、３×６、２×６×２、３×４×２、２×９、２×６、３×４等）の配列で収納できるよう採寸かつ加工できることを考慮する。例示された実施例において、カートン５は概して１１と図示されるカートンを掴み運ぶためのハンドルを備える。次に詳細に説明されるとおり、ハンドル１１はブランク３の様々な機能部から形成される。
【００１６】
ブランク３は、縦軸Ｌ１および横軸Ｌ２を有する。例示された実施例において、ブランク３は、第一の横の折り目２１で第一のサイドパネル２０に折畳式に係合されるトップパネル１０、第二の横の折り目３１で第一のサイドパネル２０に折畳式に係合されるボトルパネル３０、および第三の横の折り目４１でトップパネル１０に折畳式に係合される第二のサイドパネル４０を含む。例示された実施例において、ブランク３は第四の横の折り目５２でボトルパネル３０に折畳式に係合される粘着フラップ５０を含む。
【００１７】
トップパネル１０は、第一のトップ終端フラップ１２および第二のトップ終端フラップ１４に、折畳式に係合される。第一のサイドパネル２０は、第一のサイドフラップ２２および第二のサイドフラップ２４に、折畳式に係合される。ボトムパネル３０は、第一のボトム終端フラップ３２および第二のボトム終端フラップ３４に、折畳式に係合される。第二のサイドパネル４０は、第一のサイドフラップ４２および第二のサイドフラップ４４に、折畳式に係合される。例示された実施例において、第一のサイド終端フラップ２２と４２は、それぞれ主パネル４６と４８、および、それぞれ横の折り目６５と６７に沿って主パネルに折畳式に係合される延長パネル６１と６３を含む。カートン５を組み立てる際、カートンのトップおよびボトム終端フラップ１２と３２、サイド終端フラップ２２と４２は、カートンの第一の終端５１を閉じ、カートンのトップおよびボトム終端フラップ１４と３４、サイド終端フラップ２４と４４は、カートンの第二の終端５３を閉じる。本発明の代替実施例に従い、カートン５の終端５１と５３を閉じるために、異なったフラップの配置を用いることができる。
【００１８】
カートンのトップおよびボトム終端フラップ１２と３２、サイド終端フラップ２２と４２は、ブランク３の第一の周縁域に沿って伸び、ブランクの縦幅に伸びる第一の縦の折り目６２で係合する。カートンのトップおよびボトム終端フラップ１４と３４、サイド終端フラップ２４と４４は、ブランク３の第二の周縁域に沿って伸び、ブランクの縦幅に同様に伸びる第二の縦の折り目６４で係合する。縦の折り目６２と６４は、例えば、実質上真っ直ぐであるか、またはブランクの厚みやその他の要因を考慮して１つ以上の部位で位置がずれる。
【００１９】
ディスペンサー７は、トップパネル３０、サイドパネル２０と４０、サイドパネル２４と４４およびトップ終端フラップ１４に形成されるディスペンサーパネル８７を含む。ディスペンサーパネル８７は、概して８９と図示される切り取り線８９に沿ってカートン５から切り離され、カートンの開口部（図示されず）を形成する。ディスペンサー７は、ディスペンサーパネル８７を掴むために、湾曲した折り目９１に沿って折り畳み可能なトップパネル１０に提供されるフィンガーパネル９２を含む。切り取り線８９は、トップパネル１０に、横の折り目２１と４１の間に伸びる第一部９３を含み、湾曲した折り目９１の対応する終端に係合してフィンガーパネル９２を画定する。切り取り線８９は、第一のサイドパネル２０に、横の折り目２１から縦の折り目６４に向かって略斜めに延びる第二部９５を含む。切り取り線８９は、第二のサイドパネル４０に、横の折り目４１から縦の折り目６４に向かって略斜めに延びる第三部９７を含む。切り取り線８９は、サイド終端パネル２４を通り、第二部９５と縦の折り目６４の交差点から横に伸びる第四部９９を含む。切り取り線８９は、サイド終端パネル４４を通り、第三部９７と縦の折り目６４の交差点から横に伸びる第五部１０１を含む。少なくとも一部ディスペンサーパネルを取り除き、カートン５のコンテナＣの上部を露出し、カートンからコンテナを取り出すために、フィンガーパネル９２を掴み、切り取り線８９に沿ってディスペンサーパネル８７をはがすことで、ディスペンサー７は開口する。ディスペンサー７は、異なる方法で、本発明の範囲から逸脱することなく、カートン５に採寸、加工および／または配置してもよい。さらに、ディスペンサー７は、本発明の範囲から逸脱することなく、カートン５から省略してもよい。
【００２０】
図１の通り、カートン５のハンドル１１を形成する機能部は、トップパネルの終端フラップ１２で形成され、折り目１３３でトップパネルに折畳式に係合する細長いハンドルフラップ１３１を含む。例示された実施例において、ハンドル１１の機能部は、ハンドルフラップ１３１に隣接し、折り目１３８でトップパネルに折畳式に係合する細長いコンフォートパネル１３４を含む。折り目１３８は、トップパネルの終端フラップ１２にハンドルフラップ１３１を形成する切り取り線１４０の終端にそれぞれ係合する。例示された実施例において、ハンドル１１が円滑に機能するよう、ハンドルフラップ１３１はフラップの湾曲した終端間に伸びる湾曲した折り目１４２を含む。ハンドル１１の機能部は、エンドフラップ２２と４２に提供されるそれぞれ対応する湾曲した切込み部１３５と１３７を含み、カートンのハンドル開口部１３９（図７）を形成するためにハンドルが用いられる際に、細長いハンドルフラップ１３１を内部に折り畳むことができる。例示された実施例において、湾曲した切込み部１３５と１３７は、サイドパネルのエンドフラップ２２と４２のそれぞれの対応した主パネル４６と４８に提供される。延長パネル６１と６３は、ハンドル１１を形成するそれぞれのメインパネル４６と４８に提供される機能部（切込み部１３５と１３７）によって不連続になっている。細長いハンドルフラップ１３１、ハンドルフラップを押し、湾曲した切込み部１３５と１３７へハンドルフラップを内部に折り畳んで、カートン５にハンドル開口部を形成することでハンドル１１が機能するようにブランク３に形成および配置されており。カートン５を掴む際に、ユーザが指を挿入できるよう開口部は加工されている。ユーザがハンドル開口部１３９（図７）に指を挿入する際、ユーザの指がフィットしカートン５が掴み易くなるよう、コンフォートパネル１３４は加工されている。例示された実施例において、カートン５が閉じハンドル１１がカートンを掴むために機能する際（図７）、ハンドルフラップ１３１は折り目１３３に沿って内部に折り畳まれ、サイドパネルの終端フラップ２２と４２の上部の内面とそれぞれ向かい合う。ハンドル１１は、もしくは、本発明の範囲から逸脱することなく、それ以外の様態で、カートン５に形成および配置することができる。
【００２１】
典型的実施例に従い、ブランク３は、折り目２１、３１、４１と５２に沿って折られ、粘着フラップ５０を第二のサイドパネル４０に接合しスリーブ１４１（図２０）を形成することで、カートン５に組み立てることができる。ブランク３は、本発明の範囲から逸脱することなく、複数のトップパネルおよび／または複数のボトムパネルを有するよう別の様態で構成することができる。さらに、カートン５は、当業者には公知である第一および第二の固定機能部を含む固定機能部を備えるブランク３を有する、巻き付け型のカートンでもよい。これらの固定機能部はまた、単一の固定システムまたは、米国特許出願第１０／１８３，９３５および１０／７０３，７０４号に開示されているような二重固定システムを含み、その全ての内容はここに参照されることで援用される。
【００２２】
例示された実施例において、容器Ｃがカートン内に収納された後、サイド終端フラップ２２、４２およびトップ、ボトム終端フラップ３２、４２がそれぞれ重なり合い接着されると、カートン５の第一の終端５１は閉口する。サイド終端フラップ２４、４４およびトップ、ボトム終端フラップ１４、３４がそれぞれ重なり合い接着されると、カートン５の第二の終端５３は閉口する。ブランク３がスリーブ１４１に形成されると、容器Ｃは第一の終端５１からカートン５に収納され、サイド終端フラップ２２、４２およびトップ、ボトム終端フラップ３２、４２を重ね合わせ接着すると、カートン５の第一の終端５１は閉口する。次にサイド終端フラップ２４、４４およびトップ、ボトム終端フラップ１４、３４を重ね合わせ接着すると、カートン５の第二の終端５３は閉口する。本発明の範囲から逸脱することなく、収納および密閉の代替ステップを用いることができる。
【００２３】
図３−６は、１つの典型的方法に従い、カートン５の第一の終端５１が閉口する過程を図示する。図２の部分的に組み立てられた状態から、トップ終端フラップ１２はサイド終端フラップ２２と４２が内部に折り畳まれるように引き上げられると、カートン５のエンド５１は部分的に閉口する。図２に図示される方法は省略可能である。ボトム終端フラップ３２が引き上げられ（図４）、トップ終端フラップ１２が下げられる（図５）と、カートン５の終端５１はさらに閉口する。図４の状態から下げられると、トップ終端フラップ１２はサイド終端フラップ２２と４２の延長パネル６１と６３に係合し、対応する横の折り目６５と６７に沿って延長パネルは後方へ折り畳まれる。そこで延長パネルは、延長パネルの折り目と切込み部１３５と１３７の間で主パネル４６と４８のそれぞれの上部に重なり合う（図５）。トップパネル１２はさらに後方へ折り畳まれ、図６に示された位置に固定されることで、ハンドルフラップ１３１はハンドル切込み部１３５と１３７に対応して位置づけられる。後方へ折り畳まれた延長パネル６１と６３は、典型的には、主パネル４６と４８のそれぞれの上部、およびカートン５の閉口端５１でサイド終端フラップ２２と４２に重なり合うトップ終端フラップ１２のそれぞれの上部と向き合って接触する。後方へ折り畳まれた延長パネル６１と６３は、サイド終端フラップ２２と４２の主パネル４６と４８に、のり等の接着剤で固定される。同様に、延長パネル６１と６３はまた、それぞれトップ終端フラップ１２の１つまたは両方、および対応するサイド終端フラップ２２と４２にそれぞれ固定される。
【００２４】
カートン５を掴むために、ハンドル１１は、細長いハンドルフラップ１３１を押し込み、カートン５の閉口部５１にハンドル開口部１３９（図７）を形成することによって使用することができる。サイド終端フラップ２２と４２の後方へ折り畳まれる延長パネル６１と６３は、ハンドルでカートンが持ち上げられる時カートン５を補強するため、ハンドル１１上部に素材の追加層を提供する。カートン５は、カートンの第二の終端５３でハンドル１１に類似または異なる、掴むための第二のハンドルを有することもあることが理解される。カートン５を掴み持ち上げるため、ユーザは重なり合ったトップ終端パネル１２およびサイド終端パネル２２と４２に位置するハンドル開口部１３９に複数の指を通すことができ、親指をトップパネル１０に添えることができるようにハンドル１１はカートンに加工および配置される。延長パネル６１と６３は、持ち上げた際にカートンが破れたりまたは壊れたりしないように、カートンのハンドル１１の上部位の強さと剛性を強化する。
【００２５】
本発明に従うブランク３は、例えば、コーティングされた板紙および類似の素材から製造することができる。例えば、ブランク３の内部および／または外部は、クレーコーティングすることができる。次いで、クレーコーティングは、その上に、製品、広告、価格コードおよびその他の情報や画像を印刷しても良い。それからブランク３は、ブランクに印刷される情報を保護するために、ニスを塗布することができる。それからブランク３は、ブランクの片側または両側に例えば防湿層を塗布することもできる。上述の実施例に従って、ブランク３は通常の紙より重く剛性が強くなるような厚みの板紙で製造することができる。ブランク３は、ボール紙、硬化紙またはカートン５が本願に開示する通り少なくとも一般的な機能を果たすのに適する特性を有する素材など、その他の素材からも製造することができる。ブランク３はまた、選択されたパネルまたはパネルセクションに、シートに類似した素材を１枚以上積層またはコーティングすることもできる。
【００２６】
本発明の上述の実施例に従い、折り目は必ずしも真っ直ぐでなくとも脆弱性を有する実質上線形を成し、折り畳みを円滑にする。本発明の範囲を制限することを意図するものではないが、具体的には、折り目は、望ましい弱線に沿って素材に破砕部を形成する鋭くないスコアリングナイフなど用いて形成された折り目などのスコアライン、望ましい弱線に沿って部分的に素材に貫入する切り目、および／または望ましい弱線に沿って素材に部分的に切り込まれる、および／または素材を完全に通り抜ける一連の切り目、およびこれらの機能部の組み合わせを含む。
【００２７】
例えば、切り取り線は、望ましい弱線に沿って部分的に素材に貫入するスリット、および／または望ましい弱線に沿って部分的に切り込まれる、および／または素材を完全に通り抜ける間隔を開けて提供される一連のスリット、およびこれらの機能部の組み合わせを含む。より具体的な例として、ある種の切り取り線は間隔を開けて提供される、素材を完全に通り抜ける一連のスリットから構成されており、隣接するスリットはわずかに間隔が開いている。そのため、刻み目（例えば、素材の一部で小さい橋状の部分）は通常切り取り線全体を通して、一時的に素材を接続するために、隣接するスリット間に画定される。刻み目は、切り取り線に沿って裂くと破れる。刻み目は通常切り取り線の比較的小さい割合を占め、代替的には、刻み目が連続した切れ目となるよう、切り取り線から省略または切り裂くことができる。すなわち、本発明の範囲内で、各切り取り線は連続したスリットなどと代替可能である。例えば、本発明から逸脱することなく、切れ目を連続したスリットにしたり、またはスリットよりも幅広に設定することも可能である。
【００２８】
上記の実施例では、カートンの実施例が組み立てられる際、のりなどで接着される１つ以上のパネルを有すると説明できる。「のり」という用語は、カートンパネルを定位置に固定するために通常使用される接着剤を全て含む。
【００２９】
本発明に関する前記記述は、本発明を例示および説明する。さらに、開示内容は本発明の一部を例示および説明したもので、本願で開示された発明概念の範囲から逸脱することなく、上記発明の概念の範囲内で、および／または関連技術や関連技術の範囲内で、本発明はその他の組み合わせ、変更、環境で適用されても良く、また、変形および変更がなされても良いことを理解されるべきである。
【図面の簡単な説明】
【００３０】
【図１】本発明の第一の実施例に従い、カートンを形成するブランクの平面図である。
【図２】カートンが部分的に組み立てられた状態で第一の終端を示すカートンの部分斜視図である。
【図３】カートンが部分的に閉じられた状態での第一の終端の端面図である。
【図４】図３と類似しているが、カートンがさらに閉じられた状態での第一の終端の端面図である。
【図５】図４と類似しているが、カートンがまたさらに閉じられた状態での第一の終端の端面図である。
【図６】カートンが完全に閉じられた状態での斜視図である。
【図７】カートンの第一の終端に位置するハンドルを示すカートンの斜視図である。
【図１】
2009508780.tif 000003
【図２】
2009508780.tif 000004
【図３】
2009508780.tif 000005
【図４】
2009508780.tif 000006
【図５】
2009508780.tif 000007
【図６】
2009508780.tif 000008
【図７】
2009508780.tif 000009
【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
複数の品物を包装するカートンであって、
前記カートン内部の少なくとも一部に広がる複数のパネルであって、トップパネル、ボトムパネル、第一のサイドパネルおよび第二のサイドパネルから構成される複数のパネルと、
複数のパネルのうち対応したパネルに折畳式にそれぞれ取り付けられ、互いに重なり合うことで少なくとも部分的に前記カートンの閉口端を形成し、少なくとも１つのサイド終端フラップと少なくとも１つのトップ終端フラップを含む少なくとも２つのエンドフラップと、
前記カートンを掴み運ぶために、前記カートンの閉口端に取り付けられるハンドルと、を備え、
前記少なくとも２つの終端フラップのうち前記少なくとも一つのサイド終端フラップは、前記カートンの閉口端を閉じる主パネルおよび前記主パネルに折畳式に取り付けられる延長パネルから構成され、前記少なくとも１つのトップ終端フラップが閉じている場合に前記カートンを強化するため延長パネルがハンドルの上部に配置される、カートン。
【請求項２】
前記延長パネルが、前記主パネルおよび前記トップ終端フラップの間に配置され、前記トップ終端フラップは少なくとも部分的に前記メインパネルに重なり合う、請求項１に記載のカートン。
【請求項３】
前記少なくとも１つのサイド終端フラップが前記第一の終端パネルに折畳式に取り付けられる第一のサイド終端フラップおよび前記第二のサイドパネルに折畳式に取り付けられる第二のサイド終端フラップを含む、請求項１に記載のカートン。
【請求項４】
前記ハンドルが、前記第一のサイド終端フラップおよび第二のサイド終端フラップにそれぞれハンドル切り込み部を含む、請求項３に記載のカートン。
【請求項５】
前記ハンドルが、前記ハンドル切り込み部の位置に合わせてハンドル開口部を形成するため、前記トップ終端フラップに折畳式に取り付けられるハンドルフラップを含む、請求項４に記載のカートン。
【請求項６】
前記トップ終端フラップが閉じられると、前記延長パネルは後方へ折り畳まれる、請求項１に記載のカートン。
【請求項７】
前記エクステンションパネルは前記主パネルに固定される、請求項６に記載のカートン。
【請求項８】
前記カートン内で垂直に置かれたボトルからなる複数の品物と組み合わせた、請求項１に記載のカートン。
【請求項９】
カートンを形成するためのブランクであって、
トップパネル、ボトムパネル、第一のサイドパネルおよび第二のサイドパネルから構成される複数のパネルと、
複数あるパネルのうち対応したパネルに折畳式にそれぞれ取り付けられ、少なくとも１つのサイド終端フラップと少なくとも１つのトップ終端フラップを含む少なくとも２つの終端フラップと、
前記ブランクから組み立てられるカートンのハンドルを少なくとも部分的に画定するために協働する、前記少なくとも２つの終端フラップに取り付けられている機能部とを含み、
少なくとも２つの終端フラップのうち前記少なくとも一つのサイド終端フラップは、前記ブランクから組み立てられる前記カートンの終端を閉口する主パネル、および前記主パネルに折畳式に取り付けられ、前記ブランクがカートンに組み立てられる際、前記少なくとも１つのトップ終端フラップが閉じている場合に、前記ブランクから形成される前記カートンを強化するため前記ハンドルの上部に配置される延長パネルから構成される、ブランク。
【請求項１０】
前記延長パネルが、少なくとも部分的に前記ハンドルを画定するための前記メインパネルの機能部から離れている、請求項９に記載のブランク。
【請求項１１】
前記少なくとも１つのサイドエンドフラップが、前記第一のサイドパネルに折畳式に取り付けられている第一のサイド終端フラップおよび前記第二のサイドパネルに折畳式に取り付けられている第二のサイド終端フラップを含む、請求項９に記載のブランク。
【請求項１２】
前記ハンドルが、前記第一のサイド終端フラップおよび第二のサイド終端フラップにそれぞれハンドル切り込み部を含む、請求項９に記載のカートン。
【請求項１３】
前記ハンドルが、前記ハンドル切り込み部の位置に合わせてハンドル開口部を形成するため、前記トップ終端フラップに折畳式に取り付けられているハンドルフラップを含む、請求項１２に記載のカートン。
【請求項１４】
前記ブランクから組み立てられるカートンが閉じられると、各エクステンションパネルは前記トップ終端フラップに係合して後方へ折り畳まれる、請求項９に記載のブランク。
【請求項１５】
カートンを組み立てる方法であって、
トップパネル、ボトムパネル、第一のサイドパネルおよび第二のサイドパネルから構成される複数のパネル、前記カートンの第一の終端で前記サイド終端パネルの少なくとも１つに折畳式に取り付けられる少なくとも１つのサイド終端フラップ、前記第一の終端で前記トップパネルに折畳式に取り付けられる少なくとも１つのトップ終端フラップを含み、前記少なくとも１つのサイド終端フラップは、前記カートンの第一の終端を少なくとも部分的に閉口するための主パネルおよび前記主パネルに折畳式に取り付けられる延長パネルを構成する、カートンを提供するステップ；
前記少なくとも１つのサイド終端フラップを折り畳むステップ；
前記延長パネルと係合させるために前記トップ終端フラップを後方へ折り畳むステップと、前記主パネルに重なり合わせるために前記延長パネルを後方へ折り畳むステップ；および
前記カートンを少なくとも部分的に閉口するために、前記トップパネルを固定するステップ、を含むカートンを組み立てる方法。
【請求項１６】
前記エクステンションパネルを前記メインパネルに固定するステップをさらに含む、請求項１５に記載の方法。
【請求項１７】
前記少なくとも１つのサイド終端フラップが２つのサイド終端フラップを含む、請求項１５に記載の方法。
【請求項１８】
前記ハンドルが前記トップパネルに折畳式に取り付けられているハンドルフラップおよび前記２つのサイド終端フラップに位置するハンドル切込み部を備え、前記カートンのハンドル開口部を形成するため前記少なくとも２つのサイド終端フラップの前記ハンドル切り込み部に前記ハンドルフラップを折り畳む方法をさらに含む、請求項１７に記載の方法。
【請求項１９】
前記カートンはさらに、前記カートンの第二の終端に複数の終端フラップを備え、前記カートンの第二の終端を閉口するため第二の終端で複数の終端フラップを重なり合わせる方法を含む、請求項１５に記載の方法。
【請求項２０】
カートンが少なくとも部分的にトップ終端フラップおよび前記少なくとも１つのサイド終端フラップに配置されるハンドルを含み、少なくとも１つのサイド終端フラップを折り畳むことで少なくとも部分的にカートンの第１の終端が閉口する方法を含む、請求項１５に記載の方法。
【国際調査報告】
2009508780.tif 000010
2009508780.tif 000011